(57)【要約】【課題】  長時間稼動してメダルの投入が継続的に行なわれたメダルセレクタに付着堆積した汚れを、簡単確実に除去可能な清掃ツールを提供する。【解決手段】    スロットマシンのメダル投入口から投入されたメダルを該メダルの大きさに基づいて選別し、投入されたメダルをメダル送り口の方向に転動させるメダル転動面と、転動するメダルを側面から支持する側方ガイド面とを少なくとも備えるメダルセレクタに対して用いられ、前記メダル転動面上に付着堆積した汚れを除去するための第１作用部８２１と、前記側方ガイド面上に付着堆積した汚れを除去するための第２作用部８２２とを、湾曲する本体部８１の両端部分に形成した。【選択図】    図８
2005211456.tif 000002
【特許請求の範囲】
【請求項１】
メダル投入口から投入されたメダルを該メダルの大きさに基づいて選別し、投入されたメダルをメダル送り口の方向に転動させるメダル転動面を少なくとも備えるメダルセレクタに対して用いられ、
前記メダル転動面上に付着堆積した付着物を除去するための作用部を形成したことを特徴とするメダルセレクタ用清掃ツール。
【請求項２】
メダル投入口から投入されたメダルを該メダルの大きさに基づいて選別し、メダル送り口の方向に転動するメダルを側面から支持する側方ガイド面を少なくとも備えるメダルセレクタに対して用いられ、
前記側方ガイド面上に付着堆積した付着物を除去するための作用部を形成したことを特徴とするメダルセレクタ用清掃ツール。
【請求項３】
メダル投入口から投入されたメダルを該メダルの大きさに基づいて選別し、投入されたメダルをメダル送り口の方向に転動させるメダル転動面と、転動するメダルを側面から支持する側方ガイド面とを少なくとも備えるメダルセレクタに対して用いられ、
前記メダル転動面上に付着堆積した付着物を除去するための第１作用部と、前記側方ガイド面上に付着堆積した付着物を除去するための第２作用部と、を形成したことを特徴とするメダルセレクタ用清掃ツール。
【請求項４】
請求項３に記載したメダルセレクタ用清掃ツールであって、
ヘラ状の本体部の一端に第１作用部を形成し、本体部の他端に第２作用部を形成したことを特徴とするメダルセレクタ用清掃ツール。
【請求項５】
請求項４に記載したメダルセレクタ用清掃ツールであって、
正規のメダルが送り出されるメダル送り口に挿入可能な全幅と、前記メダル転動面の長さに対応する全長と、前記メダル転動面の幅とほぼ一致する厚みと、を有することを特徴とするメダルセレクタ用清掃ツール。
【請求項６】
請求項５に記載のメダルセレクタ用清掃ツールであって、
前記本体部が幅方向に湾曲した形状を有していることを特徴とするメダルセレクタ用清掃ツール。
【請求項７】
請求項６に記載のメダルセレクタ用清掃ツールであって、
前記第１作用部はメダル転動面に付着堆積した付着物を除去することができるように、先端が前記本体部の長軸方向とほゞ平行するように折返状に形成された鉤状部と、該鉤状部と本体部の縁部との間に形成された空間部とを有し、前記鉤状部にメダル転動面と当接可能な平面部を形成したことを特徴とするメダルセレクタ用清掃ツール。
【請求項８】
請求項７に記載のメダルセレクタ用清掃ツールであって、
メダルセレクタのメダル転動面を、転動するメダルを側面から支持する側方ガイド面側が低くなるように傾斜させた傾斜面とし、この傾斜面に対応させて前記第１作用部に傾斜した平面部を形成したことを特徴とするメダルセレクタ用清掃ツール。
【請求項９】
メダル投入口から投入されたメダルを該メダルの大きさに基づいて選別し、投入されたメダルをメダル送り口の方向に転動させるメダル転動面を少なくとも備えるメダルセレクタを設けた遊技台に対して用いられ、
前記メダル投入口及びメダル送り口に挿入可能な大きさ及び形状に形成され、前記メダル投入口及びメダル転動面に付着堆積した付着物を除去するための作用部を形成したことを特徴とするメダルセレクタ用清掃ツール。
【請求項１０】
請求項１ないし９の何れか一つに記載されたメダルセレクタ用清掃ツールであって、
前記メダルセレクタは、複数種類の絵柄が施された複数のリールと、メダルの投入を前提条件として、リールの回転開始を指示するスタートスイッチと、各々のリールに対応して設けられ、リールの回転を個別に停止させるためのストップスイッチと、予め定めた入賞役の内部当選の当否を抽選により判定する抽選手段と、入賞役に内部当選した場合であって、停止時のリールにより表示される絵柄の組合せが、内部当選した入賞役に対応して予め定めた絵柄の組合せである場合に当該入賞役に入賞し、払い出しが必要がある場合は所定数のメダルを払い出す遊技台に設けられていることを特徴とするメダルセレクタ用清掃ツール。
【請求項１１】
メダル投入口から投入されたメダルを該メダルの大きさに基づいて選別するメダルセレクタを備えた遊技台において、
複数種類の絵柄が施された複数のリールと、メダルの投入を前提条件として、リールの回転開始を指示するスタートスイッチと、各々のリールに対応して設けられ、リールの回転を個別に停止させるためのストップスイッチと、予め定めた入賞役の内部当選の当否を抽選により判定する抽選手段と、入賞役に内部当選した場合であって、停止時のリールにより表示される絵柄の組合せが、内部当選した入賞役に対応して予め定めた絵柄の組合せである場合に当該入賞役に入賞し、払い出しが必要がある場合は所定数のメダルを払い出す遊技台であって、
前記メダルセレクタに付着堆積した付着物を除去するための作用部を形成したメダルセレクタ用清掃ツールを装備させるための装着部を設けたことを特徴とする遊技台。
【発明の詳細な説明】
【技術分野】
【０００１】
本発明は、不正なメダルを選別するメダルセレクタに用いる清掃ツールに関するものである。例えば、通称「パチスロ」と呼ばれているスロットマシンに代表される遊技台では、不正な遊技を防止するために、メダルセレクタによってサイズの異なるメダルを選別している。
【背景技術】
【０００２】
遊技台の一つとしてスロットマシンが従来より知られている。このスロットマシンは、一般に、複数種類の絵柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段と、入賞役に内部当選した場合であって、停止時のリールによって表示される絵柄の組合せが、内部当選した入賞役に対応して予め定めた絵柄の組合せである場合に、その入賞役に入賞し、払い出しが必要な場合には所定数のメダルを払い出す遊技台である。
【０００３】
メダルの投入方式としては、電子的に貯留されているメダルを投入する場合と、メダル投入口より、実物のメダルを実際に投入する場合とがある。
メダル投入口に投入されたメダルは、スロットマシン内部に配設されたメダルセレクタを通過し、この際、不正なメダル（偽メダル）が排除される。即ち、規定の大きさよりも小さいメダルが、メダルセレクタによって選別されて、小さいと認定されたメダルがメダル排出口から排出される。
【０００４】
メダルセレクタは、例えば、図２２（ａ）〜（ｃ）に示すように構成されている。即ち、メダルセレクタの概略は、メダル投入口に投入されたメダルＭを、図示していないメダル送り口へガイドするためのガイド部材と、規定より小さいメダルを排除するための押出しガイドとを備えている。
【０００５】
尚、図２２（ａ）〜（ｃ）には、遊技者がメダル詰まりを解消するために返却ボタンを操作したときに、傾動して通過中のメダルＭを押し出す押出し部材７３が画かれている。また、図示されていないが、メダルセレクタには、通常、規定枚数以上投入されたメダルＭを受け皿に戻すためのメダルブロッカが並設されている。
【０００６】
メダルＭをガイドするためのガイド部材は、具体的には、メダルＭの上縁が係止する爪部７１１を有する上部ガイド７１２と、メダルＭの下部側面が摺接する下部ガイド７１３と、メダルＭの下面を支え、メダルＭが転動する移送ガイド７１４と、から構成されている。
【０００７】
また、前記上部ガイド７１２と、移送ガイド７１４との中間よりやや上方には、基板７２１に回動自在に設けられると共に、図示していないスプリングによりメダルＭを押圧する方向に緩く付勢された可動型押出しガイド７２２の押圧片７２３の先端が臨んでいる。
【０００８】
前記のようなメダルセレクタにおいて、メダル投入口に投入されたメダルＭが定められた外径を有する正規なメダルな場合は、図２２（ｂ）に示すように、メダルＭの上縁を上部ガイド７１２の爪部７１１に係止させながら、移送ガイド７１４の転動面７１５上を転動して図示していないメダル送り口からホッパーのメダルタンクへ取り込まれる。このとき、可動型押出しガイド７２２の押圧片７２３が、転動するメダルＭのガイドとして機能している。
【０００９】
一方、外径が正規のメダルよりも小さい場合には、メダルＭの下面が移送ガイド７１４の転動面７１５に載っても、上縁が上部ガイド７１２の爪部７１１に係止していないので、図２２（ｃ）に示すように、メダルＭの中段よりやゝ上部を、可動型押出しガイド７２２の押圧片７２３により側方から押圧されると、傾倒して下面が移送ガイド７１４から外れて落下し、受け皿に排出される（例えば、特許文献１参照）。
【００１０】
【特許文献１】特開２００２−３３６４１６号公報
【発明の開示】
【発明が解決しようとする課題】
【００１１】
ところで、遊技に使用されたメダルＭは、遊技者の手垢等でかなり汚れている。そこで、人の汗や皮脂に含まれる尿素、塩分、蛋白質等が、空気中の布埃等と共に固まり、長い期間通して数万枚或いは数十万枚のメダルＭが投入されると、その汚れＲがメダルＭの通過軌跡に沿って付着堆積する。即ち、例えば、図２３（ｂ）に示すように、移送ガイド７１４の転動面７１５に汚れＲが付着堆積してしまう。
【００１２】
このように汚れＲが堆積してしまうと、転動するメダルＭが堆積した汚れＲの上に載り（図２３（ｃ））、転動が不安定となって傾き（図２３（ｄ））、メダルＭが転動面７１５から外れてしまい（図２３（ｅ））、正規のメダルＭまでもが、排出されてしまうという問題がしばしば発生している。
【００１３】
そこで、遊技店では、雑巾や綿棒等によって、前記した汚れＲの除去を試みているが、充分に除去しきれていないのが現状である。
【００１４】
本発明が解決しようとする課題は、長時間稼動してメダルの投入が継続的に行なわれたメダルセレクタに付着堆積した汚れを、簡単確実に除去可能な清掃ツールを提供することにある。
【課題を解決するための手段】
【００１５】
前記課題を解決するために、請求項１に係る発明は、メダル投入口から投入されたメダルを該メダルの大きさに基づいて選別し、投入されたメダルをメダル送り口の方向に転動させるメダル転動面を少なくとも備えるメダルセレクタに対して用いられ、前記メダル転動面上に付着堆積した付着物を除去するための作用部を形成したことを特徴とする。
請求項２に係る発明は、メダル投入口から投入されたメダルを該メダルの大きさに基づいて選別し、メダル送り口の方向に転動するメダルを側面から支持する側方ガイド面を少なくとも備えるメダルセレクタに対して用いられ、前記側方ガイド面上に付着堆積した付着物を除去するための作用部を形成したことを特徴とする。
請求項３に係る発明は、メダル投入口から投入されたメダルを該メダルの大きさに基づいて選別し、投入されたメダルをメダル送り口の方向に転動させるメダル転動面と、転動するメダルを側面から支持する側方ガイド面とを少なくとも備えるメダルセレクタに対して用いられ、前記メダル転動面上に付着堆積した付着物を除去するための第１作用部と、前記側方ガイド面上に付着堆積した付着物を除去するための第２作用部と、を形成したことを特徴とする。
請求項４に係る発明は、請求項３の構成に加えて、ヘラ状の本体部の一端に第１作用部を形成し、本体部の他端に第２作用部を形成したことを特徴とする。
請求項５に係る発明は、請求項４の構成に加えて、正規のメダルが送り出されるメダル送り口に挿入可能な全幅と、前記メダル転動面の長さに対応する全長と、前記メダル転動面の幅とほぼ一致する厚みと、を有することを特徴とする。
請求項６に係る発明は、請求項５の構成に加えて、前記本体部が幅方向に湾曲した形状を有していることを特徴とする。
請求項７に係る発明は、請求項６の構成に加えて、前記第１作用部はメダル転動面に付着堆積した付着物を除去することができるように、先端が前記本体部の長軸方向とほゞ平行するように折返状に形成された鉤状部と、該鉤状部と本体部の縁部との間に形成された空間部とを有し、前記鉤状部にメダル転動面と当接可能な平面部を形成したことを特徴とする。
請求項８に係る発明は、請求項７の構成に加えて、メダルセレクタのメダル転動面を、転動するメダルを側面から支持する側方ガイド面側が低くなるように傾斜させた傾斜面とし、この傾斜面に対応させて前記第１作用部に傾斜した平面部を形成したことを特徴とする。
請求項９に係る発明は、メダル投入口から投入されたメダルを該メダルの大きさに基づいて選別し、投入されたメダルをメダル送り口の方向に転動させるメダル転動面を少なくとも備えるメダルセレクタを設けた遊技台に対して用いられ、前記メダル投入口及びメダル送り口に挿入可能な大きさ及び形状に形成され、前記メダル投入口及びメダル転動面に付着堆積した付着物を除去するための作用部を形成したことを特徴とする。
請求項１０に係る発明は、請求項１ないし９の何れかの構成に加えて、前記メダルセレクタは、複数種類の絵柄が施された複数のリールと、メダルの投入を前提条件として、リールの回転開始を指示するスタートスイッチと、各々のリールに対応して設けられ、リールの回転を個別に停止させるためのストップスイッチと、予め定めた入賞役の内部当選の当否を抽選により判定する抽選手段と、入賞役に内部当選した場合であって、停止時のリールにより表示される絵柄の組合せが、内部当選した入賞役に対応して予め定めた絵柄の組合せである場合に当該入賞役に入賞し、払い出しが必要がある場合は所定数のメダルを払い出す遊技台に設けられていることを特徴とする。
請求項１１に係る発明は、メダル投入口から投入されたメダルを該メダルの大きさに基づいて選別するメダルセレクタを備えた遊技台において、複数種類の絵柄が施された複数のリールと、メダルの投入を前提条件として、リールの回転開始を指示するスタートスイッチと、各々のリールに対応して設けられ、リールの回転を個別に停止させるためのストップスイッチと、予め定めた入賞役の内部当選の当否を抽選により判定する抽選手段と、入賞役に内部当選した場合であって、停止時のリールにより表示される絵柄の組合せが、内部当選した入賞役に対応して予め定めた絵柄の組合せである場合に当該入賞役に入賞し、払い出しが必要がある場合は所定数のメダルを払い出す遊技台であって、前記メダルセレクタに付着堆積した付着物を除去するための作用部を形成したメダルセレクタ用清掃ツールを装備させるための装着部を設けたことを特徴とする。
【発明の効果】
【００１６】
本発明によれば、メダル転動面及びメダルが係止する部分をはじめ、メダルセレクタにおいて汚れが付着堆積する部分に対して、適切な清掃ツールを提供することができ、簡単な作業によって、汚れを確実に除去することができる。従って、汚れの付着堆積によるメダルセレクタにおける動作の不安定要素を排除することができ、メダルの選別が安定するため、遊技の中断や、遊技者とのトラブルを未然に防止することができ、ひいては遊技店の売上増加に寄与することが可能である。また、遊技台のメーカにとっては、汚れに起因するトラブルの発生がなくなるので、メンテナンスサービスが容易になると共に、苦情が著しく減少する。
【発明を実施するための最良の形態】
【００１７】
複数種類の絵柄が施された複数のリールと、メダルの投入を前提条件として、リールの回転開始を指示するスタートスイッチと、各々のリールに対応して設けられ、リールの回転を個別に停止させるためのストップスイッチと、予め定めた入賞役の内部当選の当否を抽選により判定する抽選手段と、入賞役に内部当選した場合であって、停止時のリールにより表示される絵柄の組合せが、内部当選した入賞役に対応して予め定めた絵柄の組合せである場合に当該入賞役に入賞し、払い出しが必要がある場合は所定数のメダルを払い出す遊技台に設けたメダルセレクタに対して用いる清掃ツールを、
作業者が操作する湾曲した本体部の一端に、メダル転動面上に付着堆積した付着物を除去するための第１作用部を形成し、前記本体部の他端に、側方ガイド面上に付着堆積した付着物を除去するための第２作用部を形成して構成した。
【実施例】
【００１８】
＜全体の構成＞
図１は、本発明の実施例に係る遊技台としてのスロットマシンの外観を示す正面図である。
【００１９】
図１に示すように、スロットマシン１００の中央内部には、外周面に複数種類の絵柄（「７」、「Ｂａｒ」、「ベル」、「リプレイ」等：図示省略）を配列した円筒状のリールが３個（左リール１１０、中リール１１１、右リール１１２）収納され、本体１０１の内部で回転できるように構成されている。
【００２０】
前面扉１０２には、リール表示窓１１３が設けられており、各リール１１０〜１１２を正面から眺めると、これに施された絵柄がリール表示窓１１３から縦方向に３つ見えるようになっている。つまり、各リール１１０〜１１２が停止した場合、遊技者は、合計９（３×３）個の絵柄を見ることができる。この各リール１１０〜１１２が回転し、停止することにより、様々な絵柄の組合せが表示されることになる。なお、本実施例では、３個のリールを備えているが、リールの数やリールの設置位置はこれに限定されるものではない。
【００２１】
各リール１１０〜１１２の裏側には、リール表示窓１１３に表示される個々の絵柄を照らすためのバックライト（図示せず）が配置されている。このバックライトは、例えば、７色（赤、緑、青紫の三原色と、白色等をはじめとするこれらの混合色）の光を発することが可能であり、各原色に対応したＬＥＤ等を含んで構成される。
【００２２】
入賞ライン表示ランプ１２０は、各遊技毎に有効となる入賞ライン１１４を示すランプである。有効となる入賞ライン１１４は、スロットマシン１００に投入された遊技媒体（本実施例ではメダルを想定する。）の枚数によって変化する。例えば、図１に示すように、水平に平行する３本の線と、斜めに交差する２本の線とからなる５本の入賞ライン１１４を有する場合、メダルを１枚投入したときは中段の水平な入賞ライン１１４、メダルを２枚投入したときは、上段及び下段の水平な入賞ライン１１４を加えた３本の入賞ライン１１４、メダルを３枚投入したときは、更に２本の斜めの入賞ライン１１４を加えた５本の入賞ライン１１４が有効となり、有効な入賞ライン１１４上に揃った絵柄の組合せによって入賞が判断されることとなる。勿論、入賞ライン１１４の数は５本に限定されるものではない。
【００２３】
スタートランプ１２１は、各リール１１０〜１１２が回転することができる状態にあることを遊技者に知らせるランプである。再遊技ランプ１２２は、入賞役である再遊技に入賞したとき（例えば、リプレイ−リプレイ−リプレイの再遊技絵柄の組合せが揃ったとき）、遊技者へ次の遊技が再遊技であることを知らせるランプである。再遊技の場合、次遊技において遊技媒体であるメダルの投入が免除される。告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２４は、遊技者にメダルの投入が可能であることを知らせるランプである。
【００２４】
払出枚数表示器１２５は、メダルの払い出しのある何らかの入賞役に入賞したとき、遊技者へ払い出されるメダルの枚数を表示する表示器である。遊技回数表示器１２６は、ビッグボーナスゲーム中の一般ゲームの回数等を表示する表示器である。貯留枚数表示器１２７は、電子的に貯留（クレジット）しているメダルの枚数を表示する表示器である。演出用ランプ１２８は、遊技の興趣を高めるための演出に使用されるランプである。
【００２５】
メダル投入ボタン１３０，１３１は、貯留されたメダルをスロットマシン１００へ電子的に投入するための投入ボタンであり、いわゆる、ベットボタンと呼ばれているものである。本実施例では、最大メダル投入ボタン１３０（いわゆる、マックスベットボタン）と、１枚メダル投入ボタン１３１を有し、これらのボタンのいずれかを押下することによって遊技に必要な１枚〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２７に表示される。
【００２６】
メダル投入口ブロック１３４は、遊技を開始するに当たって遊技者が直接メダルを投入するための投入口１３４Ａを有する。スタートレバー１３５は、遊技の開始操作として、各リール１１０〜１１２の回転を開始させるレバー型のスイッチである。
ストップボタンユニット１３６には、各ストップボタン１３７〜１３９が設けられている。各ストップボタン１３７〜１３９は、押下することによって対応する各リール１１０〜１１２を停止させるボタン型のスイッチである。各ストップボタン１３７〜１３９の内部にはランプ（図示せず）が設けられており、スタートレバー１３５が操作された後、各リール１１０〜１１２の停止操作が可能な状態になると、全ランプが点灯し、各ストップボタン１３７〜１３９が押下されるごとに消灯する。
【００２７】
精算ボタン１３２は、遊技者が獲得したメダルを精算して排出させる精算処理を行う場合に押下されるボタンである。なお、精算ボタン１３２は、遊技者がメダル投入口ブロック１３４から投入したメダルのうち所定枚数（例えば、３枚）以上のメダルまたは入賞によって獲得したメダルを最大５０枚まで貯留するか否かを切り換える場合にも使用され、例えば、一回精算ボタン１３２が押下されて精算処理が行われると、非貯留モードが設定され、もう一度精算ボタン１３２が押下されると、貯留モードが設定される。ここに、メダルの貯留とは、メダルを直接払い出さずに、電子的にその枚数を後述する制御部に一時記憶しておくことを意味する。メダル返却ボタン１３３は、詰まったメダルを返却するためのボタンである。
【００２８】
キー孔１４０は、扉開閉用のキーを差し込む孔で、キーを差し込んで時計方向へ回すと、ロックが解除され、スロットマシン１００の前面扉１０２を開けることができる。メダル排出口１５６は、メダルを排出するための開口であり、入賞時に払い出されるメダルはここから排出される。排出されたメダルは、受け皿５００に溜まるようになっている。
【００２９】
上部ランプ１５０、サイドランプ１５１、中央ランプ１５２、腰部ランプ１５３、下部ランプ１５４、受け皿ランプ（受け皿５００）は、遊技を盛り上げるための演出用のランプであり、遊技状態に応じて点灯／消灯／点滅する。
ドットマトリクスＬＥＤ表示装置１７０は、複数のＬＥＤを２次元に配置した表示装置であり、遊技に関する各種の情報（ゲームを盛り上げるためキャラクター等を登場させるゲーム画面、スロットマシン１００の内部で異常が発生した場合にエラーの内容を表示するエラー画面など）を表示することができる。このドットマトリクスＬＥＤ表示装置１７０に代えて、演出用のリールを装備してもよい。演出用のリールは、各リール１１０〜１１２に対応させて３つ設けるようにしてもよい。更に、前記ドットマトリクスＬＥＤ表示装置１７０に代えて、液晶表示装置を用いて演出表示等を行うようにしてもよい。
上部スピーカの音孔１６０と、中央スピーカの音孔１６１とは、装飾が施されたスピーカカバーが装着され、ここから遊技の効果音が出力される。
【００３０】
＜制御部＞
図２を参照してスロットマシンの制御部の構成について説明する。
【００３１】
本実施例における制御部は、全体を制御する主制御部３００と、遊技を盛り上げるための演出に関する制御等を遂行する副制御部４００と、ドットマトリクスＬＥＤ表示装置１７０を制御するドットマトリクスＬＥＤ表示制御部（図示省略）で構成されている。尚、ドットマトリクスＬＥＤ表示装置１７０に代えて、液晶表示装置や演出用のリール等を用いる場合には、それらの表示制御部で構成する。
【００３２】
＜主制御部３００＞
マイクロプロセッサ（以下、ＭａｉｎＣＰＵと称す）３１０は、スロットマシン１００における制御の中枢となるものであり、バス３７０を介して、周辺部との間で制御信号やデータの受渡が行われる。
【００３３】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００３４】
ＭａｉｎＣＰＵ３１０には、入力インターフェース３６０およびバス３７０を介して、メダル投入口ブロック１３４の投入口から投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、及び、メダル投入ボタン１３０，１３１のいずれかが押下された場合、どのメダル投入ボタンが押されたかを検知するメダル投入ボタンセンサ３２３、精算ボタン１３２の押下に伴って動作する精算ボタンスイッチ３２４が接続されている。
【００３５】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。
【００３６】
また、各リール１１０〜１１２の回転と停止を行うモーター（図示省略）を制御するモーター制御部３３０、及び、メダル払出装置（いわゆる、ホッパー：図示省略）を制御するホッパー制御部３３１が、入出力インターフェース３３２及びバス３７０を介してＭａｉｎＣＰＵ３１０に接続されている。
【００３７】
演出用ランプ・表示器類３４０とは、図１で示した入賞ライン表示ランプ１２０、スタートランプ１２１、再遊技ランプ１２２等のランプ類や、払出枚数表示器１２５、遊技回数表示器１２６等の各種表示器をまとめて表したもので、出力インターフェース３４２およびバス３７０を介してＭａｉｎＣＰＵ３１０に接続されている。
【００３８】
出力インターフェース３５０は、ＭａｉｎＣＰＵ３１０の指示に基づき、各種のコマンドを副制御部４００の入力インターフェース４４０へ送信する。コマンドには、例えば、メダルが投入されたことを示すコマンド、スタートレバー１３５が操作されたことを示すコマンド、押されたストップボタン１３７〜１３９を示すコマンド、演出の内容（バックライト、上部ランプ１５０、音声出力、ドットマトリクスＬＥＤ表示装置１７０等による演出の内容）を規定したコマンド等がある。
【００３９】
＜副制御部４００＞
マイクロプロセッサ（以下、ＳｕｂＣＰＵと称す）４１０は、主制御部３００から送信された各種コマンドを入力インターフェース４４０およびバス４３０を介して受信し、受信したコマンドの内容に応じて副制御部４００全体を制御する。
【００４０】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００４１】
バックライト４２０は、リールの絵柄を照らすライトで、ＳｕｂＣＰＵ４１０の指示に従って点灯／点滅／消灯する。演出用ランプ４２１は、上部ランプ１５０、サイドランプ１５１、中央ランプ１５２、腰部ランプ１５３、下部ランプ１５４、受け皿ランプ（受け皿５００）をまとめて表したもので、ＳｕｂＣＰＵ４１０の指示に従って点灯／点滅／消灯する。バックライト４２０および演出用ランプ４２１は、出力インターフェース４２２を介してバス４３０を経てＳｕｂＣＰＵ４１０と接続されている。
【００４２】
出力インターフェース４５０は、ＳｕｂＣＰＵ４１０の指示に基づき、各種制御データをドットマトリクスＬＥＤ表示制御部（図示省略）へ送信する。この制御データに基づいて、ドットマトリクスＬＥＤ表示制御部は、ドットマトリクスＬＥＤ表示装置１７０を制御する。
【００４３】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカ及び中央スピーカ）４６２から音として出力される。
【００４４】
＜遊技の基本的制御＞
図３は、本実施例のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００４５】
先ず、Ｓ１０１では、ＲＡＭ３１３のクリヤや初期値の設定等の初期化処理を実行する。次に、Ｓ１０２では、メダル投入処理として、メダルの投入数に応じた入賞ライン表示ランプ１２０の点灯等を行う。尚、メダル投入ボタン１３０，１３１によるクレジットによる投入も、メダル投入口ブロック１３４の投入口から、実際のメダルを投入する場合も同等に処理する。
【００４６】
Ｓ１０３では、遊技のスタート操作に関する処理を行う。スタートレバー１３５が操作された場合、投入されたメダル枚数を確定する。次いで、Ｓ１０４では、確定されたメダル枚数に基づいて、有効な入賞ライン１１４を確定する。
【００４７】
Ｓ１０５では、乱数発生器３１１で発生させた乱数値を取得する。
Ｓ１０６では、ＲＯＭ３１２に格納されている抽選データテーブルと、Ｓ１０５で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００４８】
Ｓ１０７では、例えば、ドットマトリクスＬＥＤ表示装置１７０においてどのような演出を行うか決めたり、ゲームを盛り上げるためキャラクター等を登場させる、演出抽選処理を行う。
【００４９】
Ｓ１０８では、Ｓ１０５で取得した乱数値を用いて、リール停止制御テーブルを選択し、各リール１１０〜１１２の回転を開始させる。
【００５０】
Ｓ１０９では、ストップボタン１３７〜１３９の受付が可能になり、いずれかのストップボタンが押されると、押されたストップボタンに対応するリールを、Ｓ１０６で選択したリール停止制御テーブルに基づいて停止させる。
【００５１】
Ｓ１１０では、入賞判定を行う。ここでは、有効化された入賞ライン１１４上に、入賞役に対応する絵柄組合せが表示された場合にその入賞役に入賞したと判定する。例えば、有効化された入賞ライン１１４上に、例えば「ベル−ベル−ベル」が揃っていたならば、ベル入賞と判定する。また、例えば「青７−青７−青７」が揃っていたならば、ＢＢ入賞と判定する。
【００５２】
Ｓ１１１では、払い出しのある何らかの入賞役に入賞していれば、その入賞役に対応する枚数のメダルを払い出す。
【００５３】
Ｓ１１２では、遊技状態を制御する。例えば、ＢＢ入賞時には、次の遊技からＢＢゲームが開始されるように準備をし、ＢＢ終了時には、次の遊技から通常の遊技が開始されるように準備させる。
【００５４】
＜メダルセレクタ＞
図４はメダルセレクタ６の組立斜視図、図５はメダルセレクタ６の分解斜視図、図６はメダルセレクタ６を配置した状態を示す前面扉１０２の背面図、図７は前面扉１０２を外した状態を示す筐体１０３の正面図である。尚、前面扉１０２は筐体１０３に対してヒンジによって開閉且つ着脱自在に蝶着されている。
【００５５】
メダルセレクタ６は、メダル投入口ブロック１３４のメダル投入口１３４Ａに投入されたメダルを選別し、サイズの小さい不正なメダルを選別して、前面扉１０２の背面側に設けたシュート１０６（図６参照）を介してメダル排出口１５６から受け皿５００に排出すると共に、正規のメダルを取り込んでホッパー２４０のメダルタンクに送り出すユニット化された装置である。即ち、このメダルセレクタ６は、例えば図５に示すように、メダル通路を形成するセレクタ本体ユニット６１と、このセレクタ本体ユニット６１に着脱自在に設けられる側面ガイドユニット６２と、選別された不正なメダルをシュート１０６へ案内する開閉及び着脱可能なカバーガイド６３と、から構成されている。尚、メダルセレクタ６は、取付基板６４を介してスロットマシン１００の前面扉１０２の裏面側に、着脱自在に取り付られる。
【００５６】
セレクタ本体ユニット６１は、メダル選別開口６１１を開設した平面図形状がほゞコ字状のベース基板６１２を中心に構成してある。上記メダル選別開口６１１は、底辺がメダルの移送方向に沿って下り傾斜する斜めに開設した横長な開口であって、このメダル選別開口６１１の下縁付近には、投入されたメダルが転動しながらホッパー２４０のメダルタンクの方向へ移動するメダル通路を形成する移送ガイド６５が、ネジ等によって取り付けてある。
【００５７】
上記メダル選別開口６１１の上縁付近には、スペーサ部材６６１を設ける。このスペーサ部材６６１は、例えば合成樹脂製の板材であって、ほゞメダルと同じ厚さを有し、前記ベース基板６１２にネジ等で着脱可能に取り付けられている。また、上記スペーサ部材６６１は、投入されて転動するメダルの上縁が係止する係止爪６６２を有し、転動するメダルの上部一側をガイドする上部ガイド６６を構成する。
【００５８】
前記メダル選別開口６１１には、投入されたメダルを、遊技者の操作に応じて、受け皿５００に返却するためのメダル返却装置６７が臨ませてある。このメダル返却装置６７は、遊技者が、メダル詰まりを解除するために、メダル返却ボタン１３３を操作したときに、先端部がメダル選別開口６１１の中に突入して、メダル通路に詰まったメダルをシュート１０６内に落下させてメダル排出口１５６から受け皿５００に返却する。
【００５９】
前記メダル選別開口６１１には、投入されたメダルを側面からガイドする側面ガイドユニット６２を臨ませる。この側面ガイドユニット６２は、前記したベース基板６１２に対して後述する軸受部６２４により回動自在且つ着脱自在に設けられている。この側面ガイドユニット６２は、装着時に前記したベース基板６１２に対峙するガイド基板６２３を有し、このガイド基板６２３に、前記軸受部６２４と、可動型押出しガイド６２７とが装着してある。ガイド基板６２３は、ベース基板６１２と対峙したときに、メダル投入口１３４Ａに投入されたメダルを、前記ベース基板６１２と間に落とし込むようになっている。
【００６０】
側面ガイドユニット６２は、可動型押出しガイド６２７を備え、この可動型押出しガイド６２７は、メダルを押圧する方向に緩く付勢され、先端が前記メダル選別開口６１１に臨んでいる。
【００６１】
前記メダル選別開口６１１の下縁付近には、投入されたメダルが転動するメダル転動面６５２を有する移送ガイド６５が、メダルの下部一側をガイドするベース基板６１２に対して止着されている。
【００６２】
この移送ガイド６５は、前記したスペーサ部材６６１とほゞ同じ厚さを有する板材であって、ネジ等によって、前記メダル選別開口６１１の下縁から若干下がった位置に取り付けてある。また、この移送ガイド６５は、メダルが転動して流下するように下り傾斜が設けてり、傾斜下流端に対応するセレクタ本体ユニット６１の側面部分には、メダル送り口６１３が開設してある。そして、メダルセレクタ６を、図５に示す取付基板６４に装着した場合に、前記移送ガイド６５の流下端であるメダル送り口６１３が、前記した取付基板６４の搬送樋６４１の入口に連絡し、選別された正規のメダルを搬送樋６４１を介してホッパー２４０のメダルタンクへ移送するメダル通路を形成する。
【００６３】
次に、前記したような構成のメダルセレクタ６の動作を簡単に説明する。メダルセレクタ６を備えるスロットマシン１００において、遊技を行うために、遊技者がメダルをメダル投入口ブロック１３４のメダル投入口１３４Ａへ投入する。
【００６４】
メダル投入口１３４Ａから投入したされたメダルは、メダルセレクタ６のメダル通路を流下する。このとき、メダルの下縁をメダル転動面６５２が支えると共に、側面ガイドユニット６２の可動型の押出しガイド６２７が側方より緩く押圧する。このため、メダルが正規のものであって規定の外径を有していれば、上縁が上部ガイド６６である係止爪６６２に係止する。従って、当該メダルは、メダル通路を形成する移送ガイド６５の下り傾斜にしたがって、搬送樋６４１へ連なるメダル送り口６１３へ向けて転動しながら流下する。一方、規定のサイズよりも小さい不正なメダルは、係止爪６６２に係止できないので、転倒してカバーガイド６３の内側へ落下する。
【００６５】
尚、このとき、前記係止爪６６２やベース基板６１２は、メダルを側面から支持する側方ガイド面として機能している。
【００６６】
＜清掃ツール＞
次に、本発明における清掃ツールを、図面の実施例に基づいて説明する。図８は清掃ツール８の正面図、図９は同平面図、図１０は同底面図、図１１は同背面図、図１２は同左側面図、図１３は同右側面図、である。
【００６７】
清掃ツール８は、作業者が握って汚れの除去作業を行うことになる本体部８１と、この本体部８１の端部に設けた一つまたは複数の作用部８２とを備えるヘラ状の道具である。図面に示す実施例では、前記したメダルセレクタ６のメダル転動面６５２に付着堆積した付着物（以下、汚れと呼ぶことがある）を除去するための第１作用部８２１と、ベース基板６１２が形成する側方ガイド面など比較的大きな平坦部に付着堆積した汚れを除去するための第２作用部８２２、比較的小さな平坦部の汚れを除去するための第３作用部８２３、ベース基板６１２とメダル転動面６５２を有する移送ガイド６５との隙間などに溜まった汚れを除去するための第４作用部８２４と、を備えている。
【００６８】
清掃ツール８の本体部８１は、例えば、図８に示すように、一端が他端に比較して幅広に形成されると共に、若干湾曲した形状に形成される板状の部材である。この本体部８１の幅狭側の端部であって、湾曲した凸側には、前記の第１作用部８２１が形成され、幅広側の他端には前記第２作用部８２２が形成されている。
【００６９】
第１作用部８２１は、メダルが転動するメダル転動面６５２に付着堆積した汚れを除去するときに用いると好適な部位であって、先端が本体部８１の長軸方向とほゞ平行する折返状に形成された鉤状部８２１ａと、この鉤状部８２１ａと前記本体部８１の縁との間に形成された顎状に凹陥する空間部８２１ｂと、を有している。即ち、例えば、図８に示すように、鉤状部８２１ａの下縁が顎状の曲面を介して本体部８１の上縁に連なっている。
【００７０】
また、第１作用部８２１の鉤状部８２１ａには、メダル転動面６５２と当接可能な平面部８２１ｃが形成してある。更に、鉤状部８２１ａの先端、即ち、平面部８２１ｃと、空間部８２１ｂを形成する面とが交わる部分は、図１４の拡大図に示すように、小端部８２１ｄが形成してある。そして、図１５に示すように、メダルセレクタ６のメダル転動面６５２を、転動するメダルを側面から支持する側方ガイド面を形成するベース基板６１２側が低くなるように傾斜させた傾斜面とした場合には、この傾斜面に対応するように傾斜させて、傾斜する平面部８２１ｃとしてもよい。
【００７１】
第２作用部８２２は、転動するメダルを側面から支持する側方ガイド面など比較的大きな平坦部、例えばベース基板６１２の内側面に溜まった汚れを除去するときに用いると好適な部位であって、本体部８１の幅広側の端部を、小刀状に傾斜させると共に、端縁に向けで傾斜状に厚さを減じることにより、傾斜面部８２２ａと起立面部８２２ｂとが、形成してある。
【００７２】
第３作用部８２３は、比較的小さな平坦部に溜まった汚れを除去するときに用いると好適な部分であって、本体部８１の幅狭側の端部を、本体部８１の長軸方向とほゞ直交する方向に切り落として、直立面部８２３ａを形成してある。尚、前記第１作用部８２１の平面部８２１ｃと、この第３作用部８２３の直立面部８２３ａとが、緩やかな曲面で連なっている（図１４参照）。
【００７３】
第４作用部８２４は、ベース基板６１２と移送ガイド６５との隙間等に溜まった汚れを除去するときに好適な部分であって、本体部８１の一端に設けた前記第１作用部８２１と反対側になる位置に、本体部８１の長軸方向とほゞ直交する方向に突出する楔部８２４ａを形成してなる。尚、この第４作用部８２４は、前記した第３作用部８２３の延長上に位置し、楔部８２４ａを直立面部８２３ａの先端とみることもできる（図１４参照）。
【００７４】
次に、清掃ツール８の基本的な使い方を説明する。先ず、図示していない着脱手段によって、前面扉１０２の背面側に取付られているメダルセレクタ６を、前面扉１０２から外す。そして、カバーガイド６３の爪６３１をセレクタ本体ユニット６１の係止孔６１４から外して、カバーガイド６３を開放する（例えば、図１６等参照）。また、側面ガイドユニット６２を、セレクタ本体ユニット６１から外しておくとよい。
【００７５】
そこで、例えば、図１６に示すように、メダル送り口６１３から、第１作用部８２１を挿入し、該第１作用部８２１の鉤状部８２１ａを移送ガイド６５のメダル転動面６５２に宛てがい、平面部８２１ｃをメダル転動面６５２に当接させた状態でスライドさせる。すると、平面部８２１ｃと小端部８２１ｄとの角が、メダル転動面６５２に付着堆積した汚れを掻き落す。このため、メダル転動面６５２に溜まった汚れを簡単且つ確実に除去することができる。
【００７６】
このとき、図１５に示すように、メダル転動面６５２が傾斜している場合には、傾斜する平面部８２１ｃを設けた清掃ツール８を用いればよい。
【００７７】
メダルセレクタ６から外した側面ガイドユニット６２（図１７参照）には、メダル投入口１３４Ａから投入したメダルに対応する比較的大きな平坦面６２５が形成されている。この平坦面６２５に付着堆積した汚れは、第２作用部８２２を用いて除去することができる。即ち、図１７に示すように、第２作用部８２２の比較的長く形成されている起立面部８２２ｂを、側面ガイドユニット６２の平坦面６２５に宛てがってスライドさせればよい。すると、前記起立面部８２２ｂの角によって、平坦面６２５に溜まった汚れを簡単確実に掻き落すことができる。
【００７８】
一方、前記メダル投入口１３４Ａに投入したメダルに対応する前記平坦面６２５と対向するベース基板６１２側の平坦部分６１５（図１８参照）には、第３作用部８２３を用いるとよい。即ち、図１８に示すように、この第３作用部８２３を平坦部分６１５に宛てがってスライドさせれば、直立面部８２３ａの角によって平坦部分６１５に付着堆積した汚れを除去することができる。このように、この第３作用部８２３は、前記第２作用部８２２が入らない比較的小さな平坦部分に溜まった汚れを除去するときに用いると好適である。
【００７９】
ベース基板６１２と移送ガイド６５との隙間に入り込んだ汚れに対しては、第４作用部８２４を用いるとよい。即ち、図１９に示すように、第４作用部８２４の楔部８２４ａを、ベース基板６１２と移送ガイド６５との隙間に宛てがい、この隙間に沿ってスライドさせると、第３作用部８２３の楔部８２４ａの先端が隙間に入り込んだ汚れを掻き出し、汚れを簡単、確実に除去できる。
【００８０】
また、この第４作用部８２４は、上部ガイド６６のレール面を清掃することもできる。即ち、図２０に示すように、第４作用部８２４の先端部分を、上部ガイド６６の係止爪６６２に宛てがうと共に、第４作用部８２４の側面をスペーサ部材６６１が形成するレール６６３の下面に宛てがって、スライドさせればよい。このとき、係止爪６６２とレール６６３の下面に溜まった汚れを同時に除去することができる。
【００８１】
前記したような清掃ツール８は、適度な弾性と耐摩耗性を有した材質で形成するとよく、また適度な自己潤滑性を有していると更によい。そこで、例えば、ポリアセタール樹脂等の機能性樹脂（エンジニアリングプラスチック）を用いて成型するのが好適である。尚、前記した図示の実施例では、全体を機能性樹脂製として一体に形成しているが、作用部８２のみを機能性樹脂製とし、本体部８１を金属或は他の合成樹脂等、他の材質を用いて形成することもできる。
【００８２】
また、図示の実施例では、本体部８１を若干湾曲させた形状に形成しているが、汚れを掻き落すための前記作用部８２を備えていればどのような形状であってもよく、作用部８２の形状も図示のものに限定されるものではない。
【００８３】
更に、清掃ツール８は、メダル投入口１３４Ａ及びメダル送り口６１３に挿入可能な大きさ及び形状に形成されている。即ち、正規のメダルがホッパー２４０に対して送り出されるメダル送り口６１３に挿入可能な全幅と、メダル転動面６５２の長さに対応する全長と、メダル転動面６５２の幅とほぼ一致する厚みと、を有している。具体的に例示すれば、全幅２３ｍｍ、全長１２０ｍｍ、厚さ２ｍｍ程度のものであり、メダルの大きさや、メダル転動面６５２の長さを基準にして設定すればよい。
【００８４】
そこで、例えば、前記第１作用部８２１をメダル送り口６１３に挿入してメダル転動面６５２を清掃する場合に、メダル転動面６５２の上流端から下流端まで、第１作用部８２１を移動させることができる。また、本体部８１を湾曲させているので、第１作用部８２１をその位置に拘らず最適な角度でメダル転動面６５２に当接させることができる。このため、メダル転動面６５２の端部に汚れが残ることがない。
【００８５】
また、図２１に示すように、清掃ツール８を、メダル投入口１３４Ａに差し込んで、当該メダル投入口１３４Ａに付着した汚れを除去することができる。即ち、第２作用部８２２の傾斜状の起立面部８２２ｂで、メダル投入口１３４Ａの一方の内壁１３４Ｂに付着した汚れＲ１を掻き落し、清掃ツール８を一旦抜いた後、裏返して他の内壁１３４Ｃに付着した汚れＲ２を掻き落すようにすればよい。
【００８６】
本発明における清掃ツール８は、遊技店の従業員が各自所持していてもよいし、例えば、図７に示すように、スロットマシン１００の筐体１０３の内部に、清掃ツール８の装着部１０５を設け、この装着部１０５に清掃ツール８を装備するようにしてもよい。この場合、各スロットマシン毎に装備させることもできるが、遊技島単位や所定の台数毎に装備させる方が合理的である。何れの場合であっても、汚れの除去作業を行う場合に、身近に専用の清掃ツール８が用意されているので、容易に清掃することができ、確実に汚れを除去することが可能である。
【００８７】
また、前記清掃ツール８を、スロットマシンの販売に応じて、サービス品として添付提供することもできる。
【図面の簡単な説明】
【００８８】
【図１】本発明に係るメダルセレクタを備える遊技台としてのスロットマシンの外観を示す正面図である。
【図２】本発明に係る遊技台としてのスロットマシンの制御ブロック図である。
【図３】本発明に係る遊技台としてのスロットマシンの遊技の基本的制御を示すフローチャートである。
【図４】メダルセレクタの組立斜視図である。
【図５】メダルセレクタの分解斜視図である。
【図６】前面扉の背面図である。
【図７】前面扉を外した状態の筐体の正面説明図である。
【図８】清掃ツールの正面図である。
【図９】清掃ツールの平面図である。
【図１０】清掃ツールの底面図である。
【図１１】清掃ツールの背面図である。
【図１２】清掃ツールの左側面図である。
【図１３】清掃ツールの右側面図である。
【図１４】清掃ツールの作用部の拡大図である。
【図１５】清掃ツールの第１作用部の他の実施例を示す要部の拡大図である。
【図１６】清掃ツールをメダル転動面に使用する場合の使用法を示す斜視図である。
【図１７】清掃ツールを側面ガイドユニットに使用する場合の使用法を示す斜視図である。
【図１８】清掃ツールをベース基板の平坦部分に使用する場合の使用法を示す斜視図である。
【図１９】清掃ツールをベース基板と移送ガイドとの隙間に使用する場合の使用法を示す斜視図である。
【図２０】清掃ツールを上部ガイドのレール面に使用する場合の使用法を示す斜視図である。
【図２１】清掃ツールをメダル投入口に使用する場合の使用法を示す斜視図である。
【図２２】メダルセレクタにおける動作を説明する要部の断面図であり、（ａ）はメダルが投入される前、（ｂ）はメダルを移送中、（ｃ）はメダルを排出する状態を、それぞれ示す。
【図２３】メダルセレクタにおいてメダルが誤って排出される過程を説明する要部の断面図であって、（ａ）は汚れが堆積していない状態、（ｂ）は汚れが堆積した状態、（ｃ）は堆積した汚れにメダルが載った状態、（ｄ）は汚れによってメダルが傾倒した状態、（ｅ）はメダルが更に傾倒して移動ガイドから外れた状態、をそれぞれ示す。
【符号の説明】
【００８９】
６  メダルセレクタ
８  清掃ツール
６１  セレクタ本体ユニット
６２  側面ガイドユニット
６３  カバーガイド
６４  取付基板
６５  移送ガイド
６６  上部ガイド
６７  メダル返却装置
８１  本体部
８２  作用部
１００  スロットマシン
１０１  本体
１０２  前面扉
１０３  筐体
１０５  装着部
１０６  シュート
１３４  メダル投入口ブロック
２４０  ホッパー
５００  受け皿
６１１  メダル選別開口
６１２  ベース基板
６１３  メダル送り口
６５２  メダル転動面
８２１  第１作用部
８２１ａ  鉤状部
８２１ｂ  空間部
８２１ｃ  平面部
８２１ｄ  小端部
８２２  第２作用部
８２２ａ  傾斜面部
８２２ｂ  起立面部
８２３  第３作用部
８２３ａ  直立面部
８２４  第４作用部
８２４ａ  楔部
【図１】
2005211456.tif 000003
【図２】
2005211456.tif 000004
【図３】
2005211456.tif 000005
【図４】
2005211456.tif 000006
【図５】
2005211456.tif 000007
【図６】
2005211456.tif 000008
【図７】
2005211456.tif 000009
【図８】
2005211456.tif 000010
【図９】
2005211456.tif 000011
【図１０】
2005211456.tif 000012
【図１１】
2005211456.tif 000013
【図１２】
2005211456.tif 000014
【図１３】
2005211456.tif 000015
【図１４】
2005211456.tif 000016
【図１５】
2005211456.tif 000017
【図１６】
2005211456.tif 000018
【図１７】
2005211456.tif 000019
【図１８】
2005211456.tif 000020
【図１９】
2005211456.tif 000021
【図２０】
2005211456.tif 000022
【図２１】
2005211456.tif 000023
【図２２】
2005211456.tif 000024
【図２３】
2005211456.tif 000025